(57)【要約】【課題】空調の省エネルギー化を図ると共に，不快指数に基づいて空調を制御する空調制御システムを提供する。【解決手段】空調制御システム１は，施設６０内の空調を制御する空調機３と，空調機３の運転をリモート制御する施設管理装置２とから少なくとも構成される。空調機３は，温度センサ３１が測定した温度と湿度センサ３２が測定した湿度から不快指数を周期的に算出し，不快指数が許容範囲内になるまで自動運転する。施設管理装置２は，施設６０の施設予約情報に従い，施設６０の予約開始日時の第１所定時間前になると，空調機３を自動運転にする操作命令を送信し，施設６０の予定終了日時になると，空調機３を停止する操作命令を送信する。【選択図】図２
2015183899.tif 000002
【特許請求の範囲】
【請求項１】
施設内の空調を制御する空調機と，前記空調機の運転をリモート制御する施設管理装置とから少なくとも構成され，
前記空調機は，施設内の温度を測定する温度センサと，施設内の湿度を測定する湿度センサと，前記温度センサが測定した温度と前記湿度センサが測定した湿度から不快指数を周期的に算出する不快指数算出手段と，前記不快指数算出手段が演算した不快指数が許容範囲内になるまで自動運転する空調制御手段を備え，
前記施設管理装置は，前記空調機の運転スケジュールに従い，前記空調機の運転開始日時になると，前記空調機を自動運転にする操作命令を前記空調機へ送信し，前記空調機の運転停止日時になると，前記空調機を停止する操作命令を前記空調機へ送信する空調機管理手段を備え，
ていることを特徴とする空調制御システム。
制御命令を
【請求項２】
前記施設管理装置の前記空調機管理手段は，前記空調機が設置された施設の予約内容が記された施設予約情報を前記空調機の運転スケジュールとして利用し，前記施設予約情報の予約開始日時の第1所定時間前を運転開始日時とし，前記施設予約情報の予約終了日時を運転停止日時として利用することを特徴とする，請求項１に記載した空調制御システム。
【請求項３】
前記施設管理装置の前記空調機管理手段は，前記施設予約情報の予約開始日時になると，施設への入退室を管理している入退室管理装置にアクセスして施設の在室者数を取得し，施設内に在室者がいない場合は，前記空調機を停止する操作命令を前記空調機へ送信することを特徴とする，請求項２に記載した空調制御システム。
【請求項４】
前記空調機は，前記不快指数算出手段が不快指数を算出する毎に不快指数を前記施設管理装置へ送信し，前記施設管理装置の前記空調機管理手段は，前記施設予約情報の予約開始日時になってから第２所定時間が経過した後，前記空調機から受信した不快指数が許容範囲外の場合，施設に予め設定された在室者の最適人数を施設の在室者数が超えているか確認し，在室者の最適人数を在室者数が超えている場合，前記空調機を手動運転にする操作命令を前記空調機へ送信することを特徴とする，請求項３に記載の空調制御システム。
【請求項５】
前記施設管理装置は，ユーザが予約する施設，予約開始日および予約終了日時を含む予約申請情報をユーザから受け付け，前記施設予約情報を記憶する施設予約管理手段を備え，前記空調機管理手段は，前記空調機が設置されている施設に関連付けて，前記空調機から受信した不快指数を時系列で記憶し，前記施設予約管理手段は，前記予約申請情報で示される施設の不快指数が不快指数の許容範囲に収まらない場合，不快指数が不快指数の許容範囲に収まる施設をユーザに提示することを特徴とする，請求項４に記載した空調制御システム。
【発明の詳細な説明】
【技術分野】
【０００１】
本発明は，オフィスビルや工場などにある施設（例えば，会議室）の空調を制御する技術に関し，更に詳しくは，温度と湿度から算出できる不快指数に基づいて施設の空調を制御する技術に関する。
【背景技術】
【０００２】
企業に課せられた環境目標（ＣＯ2の削減目標）の達成や経費削減の観点から，省エネルギー化も空調の重要な課題であるが，空調と業務効率には密接な関係があり，在室者が不快と感じると業務効率が悪化する可能性があるため，在室者の快適性も空調の重要な課題になっている。
【０００３】
空調の省エネルギー化を図る発明として，施設内の部屋への入退室を管理する入退室管理装置５と同調し，入退室管理装置５と空調機３を連動させる発明が特許文献１で開示されている。入退室管理装置５と空調機３を連動させることで，入退室管理装置５が設置されている部屋に在室者がいるときのみ，この部屋の空調機３を運転させることができる。
【０００４】
また，空調の省エネルギー化を図る発明として，施設予約システムと連動させて空調の省エネルギー化を図る発明が特許文献２で開示されている。特許文献２で開示されている発明では，施設の予約内容に基づき，施設の利用時間に同調させて空調機３を運転させる。なお，特許文献２には，施設の利用開始時間よりも早い時間から空調機３を運転させ，施設から在室者がいなくなると空調機３の運転を停止することが記載されている。
【０００５】
空調の省エネルギー化を図る従来技術について説明したが，在室者の快適性を図る空調の発明も開示されている。例えば，一つの部屋にいる在室者の人数に応じて在室者の快適性は変わるため，個体識別するＲＦＩＤ（Radio Frequency IDentification）システムと連動させ，在室者の人数に応じて空調機を制御する発明が特許文献３，４で開示されている。
【０００６】
特許文献３で開示されている発明では，利用者が所持するＲＦＩＤタグ５３に記憶させたＩＤ情報に関連付けて空調機等の制御情報を記憶しておき，複数の在室者がいる場合，複数のＩＤ情報から読み取った制御情報の平均値を用いて空調機等を制御する。また，特許文献４で開示されている発明では，ＲＦＩＤタグ５３を利用して把握した在室者の人数に少なくとも基づき、所定の計算式により、空調の風向きおよび吹出口の大きさを算出する。
【０００７】
また，在室者の快適性を示す快適性指標を利用して空調を制御する発明が特許文献５で開示されている。特許文献５で開示されている発明では，数式１で算出されるＰＭＶ（Predicted Mean Vote）の目標値に対応する室内温度と室内湿度との組み合わせの中から省エネルギーとなる室内温度と室内湿度の組み合わせを選択して空調を制御する。
【数１】
2015183899.tif 000003
【先行技術文献】
【特許文献】
【０００８】
【特許文献１】特開２００８−１９２０９５号公報
【特許文献２】特開２００６−３４９２９１号公報
【特許文献３】特開２００５−４４３４号公報
【特許文献４】特開２００６−２４２５４０号公報
【特許文献５】特開２００７−２８５５７９号公報
【発明の概要】
【発明が解決しようとする課題】
【０００９】
空調の快適性を示す快適性指標としては，上述のＰＭＶに加え，施設内の温度と湿度から算出される不快指数があるが，従来技術では，この不快指数に基づいて空調を制御することについては考慮されていなかった。そこで，本発明は，空調の省エネルギー化を図ると共に，不快指数に基づいて空調を制御する空調制御システムを提供することを目的とする。
【課題を解決するための手段】
【００１０】
上述した課題を解決する第１の発明は，施設内の空調を制御する空調機と，前記空調機の運転をリモート制御する施設管理装置とから少なくとも構成される空調制御システムである。前記空調機は，不快指数を算出できるように，施設内の温度を測定する温度センサと，施設内の湿度を測定する湿度センサと，前記温度センサが測定した温度と前記湿度センサが測定した湿度から不快指数を周期的に算出する不快指数算出手段を備え，不快指数に基づいて空調を制御できるように，前記不快指数算出手段が演算した不快指数が許容範囲内になるまで自動運転する空調制御手段を備える。また，前記施設管理装置は，空調が必要な時のみ前記空調機が自動運転するように，前記空調機の運転スケジュールに従い，前記空調機の運転開始日時になると，前記空調機を自動運転にする操作命令を前記空調機へ送信し，前記空調機の運転停止日時になると，前記空調機を停止する操作命令を前記空調機へ送信する空調機管理手段を備える。
【００１１】
更に，第２の発明は，第１の発明に記載した空調制御システムにおいて，前記空調機が設置された施設が利用される時のみ，前記空調機を運転させるように，前記施設管理装置の前記空調機管理手段は，前記空調機が設置された施設の予約内容が記された施設予約情報を前記空調機の運転スケジュールとして利用し，前記施設予約情報の予約開始日時の第1所定時間前を運転開始日時とし，前記施設予約情報の予約終了日時を運転停止日時として利用することを特徴とする。
【００１２】
更に，第３の発明は，第２の発明に記載した空調制御システムにおいて，前記空調機が設置された施設に在室者がいない場合は前記空調機が作動しないように，前記施設管理装置の前記空調機管理手段は，前記施設予約情報の予約開始日時になると，施設への入退室を管理している入退室管理装置にアクセスして施設の在室者数を取得し，施設内に在室者がいない場合は，前記空調機を停止する操作命令を前記空調機へ送信することを特徴とする。
【００１３】
更に，第４の発明は，第３の発明に記載した空調制御システムにおいて，施設の在室者が多い場合に前記空調機を手動運転に切り替えることができるように，前記空調機は，前記不快指数算出手段が不快指数を算出する毎に不快指数を前記施設管理装置へ送信し，前記施設管理装置の前記空調機管理手段は，前記施設予約情報の予約開始日時になってから第２所定時間が経過した後，前記空調機から受信した不快指数が許容範囲外の場合，施設に予め設定された在室者の最適人数を施設の在室者数が超えているか確認し，在室者の最適人数を在室者数が超えている場合，前記空調機を手動運転にする操作命令を前記空調機へ送信することを特徴とする。
【００１４】
更に，第５の発明は，第４の発明に記載した空調制御システムにおいて，前記空調機が算出する不快指数を利用して施設の予約が行えるように，前記施設管理装置は，ユーザが予約する施設，予約開始日および予約終了日時を含む予約申請情報をユーザから受け付け，前記施設予約情報を記憶する施設予約管理手段を備え，前記空調機管理手段は，前記空調機が設置されている施設に関連付けて，前記空調機から受信した不快指数を時系列で記憶し，前記施設予約管理手段は，前記予約申請情報で示される施設の不快指数が不快指数の許容範囲に収まらない場合，不快指数が不快指数の許容範囲に収まる施設をユーザに提示することを特徴とする。
【発明の効果】
【００１５】
このように，本発明によれば，空調の省エネルギー化を図ると共に，不快指数に基づいて空調を制御する空調制御システムを提供できる。
【図面の簡単な説明】
【００１６】
【図１】本実施形態に係る空調制御システムの構成を説明する図。
【図２】本実施形態に係る空調制御システムのブロック図。
【図３】不快指数と快適性指標を説明する図。
【図４】施設を予約する時の空調制御システムの動作を説明する図。
【図５】空調機の運転をリモート制御する時の空調制御システムの動作を説明する図。
【発明を実施するための形態】
【００１７】
ここから，本発明の好適な実施形態を記載する。なお，以下の記載は本発明の範囲を束縛するものでなく，理解を助けるために記述するものである。
【００１８】
図１は，本実施形態に係る空調制御システム１の構成を説明する図で，図２は，本実施形態に係る空調制御システム１のブロック図で，図３は，不快指数と快適性指標を説明する図である。
【００１９】
図１で図示した空調制御システム１は，オフィスビルや工場などの建屋６にある施設６０（例えば，会議室）内の不快指数に基づいて，施設６０の空調を制御するシステムで，図１で図示した空調制御システム１には，オフィスビルや工場などの建屋６にある施設６０毎に設けられる空調機３と，空調機３をリモート制御する施設管理装置２と，施設６０の入退室を管理する入退室管理装置５を含み，更に，図１では，ユーザが施設６０を予約する時に操作する端末装置４（例えば，パーソナル）を図示している。
【００２０】
まず，図３を参照しながら，不快指数と快適性指標について説明する。不快指数とは，数式２で示されるように，温度と湿度から算出するできる値で，蒸し暑さを表す体感温度毎に，体感温度に対応する不快指数の区分が設定される。例えば，体感温度「寒い」に対応する不快指数の区分は「〜５５」で，体感温度「快い」に対応する不快指数の区分は「６５〜７０」である。
【数２】
2015183899.tif 000004
【００２１】
本実施形態に係る快適性指標は，体感温度の区分を示す数値（ここでは，レベル）である。本実施形態では，寒さと暑さを感じない体感温度の区分（「何も感じない」，「快い」および「暑くない」）に対応する快適性指標を最適な体感温度の区分としてレベル１とし，レベル１に対応する不快指数の範囲は「６０〜７５」になる。また，極端に寒さと暑さを感じない体感温度の区分（「肌寒い」および「やや暑い」）に対応する快適性指標をレベル２とし，レベル２に対応する不快指数の範囲は「５５〜６０」と「７５〜８０」になる。そして，極端に寒さと暑さを感じる体感温度の区分（「寒い」，「暑くて汗が出る」および「暑くてたまらない」）に対応する快適性指標をレベル３とし，レベル３に対応する不快指数の範囲は「〜５５」および「８０〜」になる。
【００２２】
このように，在籍者の快適性が最も良好な快適性指標はレベル１で，次に良好な快適指標はレベル２で，在籍者の快適性が最も悪い快適性指標はレベル３になる。業務効率の観点からすると，寒さと暑さを感じない体感温度の区分に対応する快適性指標（レベル１）と，極端に寒さと暑さを感じない体感温度の区分の快適性指標（レベル２）は，業務効率が極端に悪化しないと想定できるため，本実施形態では，寒さと暑さを感じない体感温度の区分と，極端に寒さと暑さを感じない体感温度の区分に対応する不快指数の範囲（ここでは，「５５〜８０」）を不快指数の許容範囲としている。
【００２３】
次に，本実施形態の空調制御システム１に含まれる入退室管理装置５について説明する。入退室管理装置５は，施設６０内にある施設６０の入退室口毎に設けられ，施設６０に入退室するユーザを管理するシステムである。図２に図示したように，入退室管理装置５は，利用者の識別情報を記憶したＲＦＩＤタグ５３と，ＲＦＩＤタグ５３と交信するリーダライタ５２を備える。図１では，施設６０の入退室口の入室側のリーダライタ５２を図示しているが，リーダライタ５２は入退室口の入室側と退室側それぞれに設置される。
【００２４】
また，入退室管理装置５は，メモリ等の記憶装置で実現されるＤＢ（Data Base）として，施設６０に入室するユーザが所持するＲＦＩＤタグ５３からリーダライタ５２が読み出した識別情報を記憶する在室者ＤＢ５１と，入退室管理装置５の制御機器を作動させるコンピュータプログラムで実現される手段として，入室側のリーダライタ５２がＲＦＩＤタグ５３から識別情報を読み出すと，この識別情報を在室者ＤＢ５１に記憶し，退室側のリーダライタ５２がＲＦＩＤタグ５３から識別情報を読み出すと，この識別情報を在室者ＤＢ５１から削除する入退室管理手段５０を備える。
【００２５】
次に，本実施形態に係る空調制御システム１に含まれる空調機３ついて説明する。空調機３は施設６０毎に設けられる装置で，冷風や温風などの吹き出し量を調整することで，施設６０内の空調を制御する装置である。
【００２６】
図２に図示したように，空調機３は，温度を測定する温度センサ３１と，湿度を測定する湿度センサ３２と，温度センサ３１が測定した温度と湿度センサ３２が測定した湿度から数式２に基づく不快指数を算出する不快指数算出手段３３と，不快指数算出手段３３が算出した不快指数が許容範囲内になるまで自動運転する空調制御手段３０と，設定温度や運転モード（自動，冷房または暖房等）などを手動で設定する際に用いられる操作パネル３４と，空調機３の設定温度などを表示するディスプレイ３５を備える。
【００２７】
空調機３は，自動運転時の設定温度を目標値とし，冷暖房を自動的に切り替えて運転する自動運転と，設定温度や冷暖房を手動で切り替えることのできる手動運転をリモート制御で切り替えることができるように構成される。空調機３の空調制御手段３０は，空調機３を自動運転にする操作命令を施設管理装置２から受信すると自動運転を開始する。また，空調機３の空調制御手段３０は，空調機３を手動運転にする操作命令を施設管理装置２から受信すると自動運転から手動運転に切り替える。更に，空調機３の空調制御手段３０は，空調機４の運転を停止する操作命令を施設管理装置２から受信すると空調機３の運転を停止する。
【００２８】
また，空調機３の不快指数算出手段３３は，空調機３が設置されている施設６０の施設識別番号を記憶し，空調機３が運転しているか否かにかかわらず，温度センサ３１から温度を湿度センサ３２から湿度を周期的（例えば，５分）に取得し，数式２に基づいて不快指数を算出し，空調機３は，不快指数算出手段３３が算出した不快指数を施設管理装置２へ送信する。
【００２９】
次に，本実施形態の空調制御システム１に含まれる施設管理装置２について説明する。施設管理装置２は，汎用的なサーバを用いて実現される装置で，図２に図示しているように，ＤＢとして，施設６０に係る情報を記憶する施設情報ＤＢ２２と，空調機３から受信した不快指数を記憶する不快指数ＤＢ２４と，施設６０の予約内容が記された施設予約情報を記憶する施設予約情報ＤＢ２３を備える。
【００３０】
本実施形態において，施設情報ＤＢ２２には，施設６０に係る情報として，施設６０の最大収容人数および施設６０の最適人数が，施設６０を識別する施設識別番号（例えば，会議室番号）に関連付けて記憶される。施設６０の最大収容人数とは，施設６０に収容可能な人数で，例えば，施設６０内の座席数によって事前に決まる人数である。また，施設６０の最適人数とは，空調機３の自動運転により施設６０内の不快指数を不快指数の許容範囲に収めることができる人数である。
【００３１】
また，本実施形態において，不快指数ＤＢ２４には，施設識別番号に関連付けて，空調機３から送信された不快指数が時系列で記憶され，更に，空調機３を自動運転にする操作命令，空調機３を手動運転にする操作命令，そして，空調機４の運転を停止する操作命令についても時系列で記憶される。
【００３２】
また，本実施形態において，施設予約情報ＤＢ２３には，施設予約情報が施設識別番号に関連付けて記憶される。この施設予約情報には，施設６０を予約する予約日時（日付，予約開始日時および予約終了日時），施設６０の利用人数が含まれる。
【００３３】
また，本実施形態に係る施設管理装置２は，コンピュータプログラムで実現される手段として，空調機３の運転スケジュール（ここでは，施設予約情報になる）に従い，空調機３の運転を制御する空調機管理手段２０と，施設予約情報をユーザから受け付けて記憶する施設予約管理手段２１を備える。
【００３４】
施設管理装置２の空調機管理手段２０は，空調機３の運転スケジュールに従い，空調機３の運転開始日時になると，空調機３を自動運転にする操作命令を空調機３へ送信し，空調機３を自動運転にする操作命令を送信したことを不快指数ＤＢ２４に記憶する。また，施設管理装置２の空調機管理手段２０は，空調機３の運転停止日時になると，空調機３を停止する操作命令を空調機３へ送信し，空調機３を停止する操作命令を送信したことを不快指数ＤＢ２４に記憶する。なお，本実施形態では，施設予約情報を運転スケジュールに用いるため，施設管理装置２の空調機管理手段２０は，施設６０の予約開始日時の第１所定時間（例えば，１０分）前になると，空調機３を自動運転にする操作命令を空調機３へ送信し，施設６０の予約終了日時になると，空調機３を停止する操作命令を空調機３へ送信する。
【００３５】
また，本実施形態において，施設管理装置２の空調機管理手段２０は，空調機３が設置されている施設６０内の在籍者数に基づき，空調機３を自動運転にする操作命令の送信を制御する。また，施設管理装置２の空調機管理手段は，空調機３が設置されている施設６０の最適人数に基づき，空調機３を手動運転にする操作命令の送信を制御する。
【００３６】
ここから，空調制御システム１の動作について説明する。図４は，施設６０を予約する時の空調制御システム１の動作を説明する図で，図５は，空調機３の運転をリモート制御する時の空調制御システム１の動作を説明する図である。
【００３７】
まず，図４を参照しながら，施設６０を予約する時の空調制御システム１の動作について説明する。施設６０を予約する際，ユーザは端末装置４を操作して施設管理装置２へアクセスすると，施設管理装置２の施設予約管理手段２１は，施設６０の予約処理を開始し，施設の予約に係る申請フォームを端末装置４へ送信し，ユーザは端末装置４を操作して，この申請フォームに予約申請情報を入力する（Ｓ１）。なお，ユーザが入力する予約申請情報には，上述しているように，施設を予約するユーザの識別情報（例えば，社員番号），ユーザが予約する施設６０の施設識別番号，施設６０の予約日時（日付，予約開始日時および予約終了日時）および施設６０の利用人数が含まれる。
【００３８】
ユーザが端末装置４を操作して，予約申請情報を施設管理装置２へ送信すると（Ｓ２），施設管理装置２の施設予約管理手段２１は，不快指数ＤＢ２４を参照し，ユーザが予約する施設６０の不快指数を取得する（Ｓ３）。なお，ユーザが予約する施設６０は，端末装置４から受信した施設予約情報の施設識別番号で示される。また，施設６０の不快指数は，時系列で不快指数ＤＢ２４に記憶されるため，所定の期間内（例えば，1週間）の不快指数の平均値を施設６０の不快指数としている。
【００３９】
次に，施設管理装置２の施設予約管理手段２１は，ユーザが予約する施設６０が予約可能で，かつ，この施設６０の不快指数が不快指数の許容範囲に含まれる確認する（Ｓ４）。ユーザが予約する施設６０が予約可能であるかは，ユーザが施設６０を予約する予約日時と予約日時が重複する他の施設予約情報が施設予約情報ＤＢ２３に記憶されているか否かを確認することでなされる。
【００４０】
施設管理装置２の施設予約管理手段２１は，ユーザが予約する施設６０が予約可能で，かつ，この施設６０の不快指数が不快指数の許容範囲内であれば，Ｓ８に進み，端末装置４から受信した施設予約情報そのものを施設予約情報ＤＢ２３に記憶して（Ｓ８），この手順は終了する。
【００４１】
また，施設管理装置２の施設予約管理手段２１は，少なくとも，施設６０の不快指数が不快指数の許容範囲内でなければ，施設情報ＤＢ２２，施設予約情報ＤＢ２３および不快指数ＤＢ２４を参照して，ユーザが施設６０を予約する予約日時（端末装置４から受信した施設予約情報の予約日時になる）に利用可能で，かつ，収容可能人数が予約時の利用人数以上である施設６０の中から，施設６０の不快指数が不快指数の許容範囲内である施設６０を推奨施設として検索する（Ｓ５）。
【００４２】
推奨施設がない場合，施設管理装置２の施設予約管理手段２１は，Ｓ８に進み，端末装置４から受信した施設予約情報そのものを施設予約情報ＤＢ２３に記憶して（Ｓ８），この手順は終了する。また，推奨施設がある場合，施設管理装置２の施設予約管理手段２１は，推奨施設の施設情報を少なくとも端末装置４に送信して，推奨施設を予約するかユーザに確認させる（Ｓ６）。
【００４３】
ユーザが推奨施設を予約しない場合，端末装置４から受信した施設予約情報に含まれる施設識別番号を変更することなく，Ｓ８に進み，施設予約情報を施設予約情報ＤＢ２３に登録して（Ｓ8），この手順は終了する。また，ユーザが推奨施設を予約する場合，施設管理装置２の施設予約管理手段２１は，端末装置４から受信した施設予約情報に含まれる施設識別番号を推奨施設の施設識別番号に変更してから(Ｓ７)，施設予約情報を施設予約情報ＤＢ２３に記憶して（Ｓ８），この手順は終了する。
【００４４】
次に，図５を参照しながら，空調機３をリモート制御する時の施設管理装置２の動作について説明する。
【００４５】
施設管理装置２の空調機管理手段２０は，施設管理装置２の施設予約情報ＤＢ２３に定期的にアクセスし，この時の時刻が，予約開始日時の第１所定時間（例えば，１０分）前になる施設予約情報がある場合，この施設予約情報を運転スケジュールとして，空調機３の運転のリモート制御を開始し，空調機３を自動運転にする操作命令を空調機３へ送信し，空調機３の空調制御手段３０は，空調機３を自動運転にする操作命令が送信されると，不快指数算出手段３３が演算した不快指数が許容範囲内になるように空調の自動運転を開始する（Ｓ１０）。なお，空調機３の空調制御手段３０は，空調機３を自動運転にする操作命令を送信したことを不快指数ＤＢ２４に記憶する。
【００４６】
施設管理装置２の空調機管理手段２０は，空調機３を自動運転にする操作命令を空調機３へ送信してから，時刻が予約開始日時に達すると，入退室管理装置５の入退室管理手段５０に問合せ，施設予約情報で示される施設６０の在室者数を入退室管理装置５から取得する（Ｓ１１）。
【００４７】
施設管理装置２の空調機管理手段２０は，入退室管理装置５から取得した施設６０の在室者数が０人であるか確認し（Ｓ１２），入退室管理装置５から取得した施設６０の在室者数が０人であれば，空調機３を停止する操作命令を空調機３へ送信し，空調機３の空調制御手段３０は，空調機３を停止する操作命令が送信されると，空調機３の自動運転を停止して（Ｓ１３ｂ），この手順を終了する。
【００４８】
また，施設管理装置２の空調機管理手段２０は，入退室管理装置５から取得した施設６０の在室者数が０人でなければ，空調機３を停止する操作命令を空調機３へ送信せず，予定開始日時から第２所定時間（例えば，１０分）が経過した後，空調機３から不快指数が送信されると，空調機３から送信された不快指数が不快指数の許容範囲内であるか確認する（Ｓ１３ａ）。
【００４９】
施設管理装置２の空調機管理手段２０は，空調機３から送信された不快指数が不快指数の許容範囲内であれば，Ｓ１６に進む。また，施設管理装置２の空調機管理手段２０は，空調機３から送信された不快指数が不快指数の許容範囲内でなければ，不快指数が不快指数の許容範囲を超えた理由が，施設内の在室者数によるものか判定するために，施設情報ＤＢ２２を参照し，空調機３が設置されている施設６０の最適人数とこの施設６０の在室者数を比較する（Ｓ１４）。
【００５０】
施設管理装置２の空調機管理手段２０は，施設６０の在室者数がこの施設６０の最適人数を上回っていなければ，そのままＳ１６に進む。また，施設管理装置２の空調機管理手段２０は，施設６０の在室者数がこの施設６０の最適人数を上回っていれば，空調機３を手動運転にする操作命令を空調機３へ送信し，空調機３の空調制御手段３０は，空調機３を手動運転にする操作命令が送信されると，操作パネル３４の使用を許可する状態にして，運転モードを自動運転から手動運転に切り替えて（Ｓ１５），Ｓ１６に進む。なお，施設管理装置２の空調機管理手段２０は，空調機３を手動運転にする操作命令を送信したことを不快指数ＤＢ２４に記憶する。
【００５１】
また，Ｓ１６において，施設管理装置２の空調機管理手段２０は，時刻が予約終了日時に達するまで待つ状態になる（Ｓ１６）。時刻が予約終了日時に達すると，施設管理装置２の空調機管理手段２０は，空調機３を停止する操作命令を空調機３へ送信して，空調機３の空調制御手段３０は，空調機３を停止する操作命令が送信されると，空調機３の運転を停止して（Ｓ１７），この手順を終了する。なお，施設管理装置２の空調機管理手段２０は，空調機３を停止する操作命令を空調機３へ送信したことを不快指数ＤＢ２４に記憶する。
【００５２】
このように，本実施形態に係る空調制御システム１によれば，空調機３が設置された施設６０が利用される時のみ空調機３を運転させることで，空調の省エネルギー化が図れ，また，空調機３が不快指数を利用して自動運転することで，在室者の業務効率が著しく悪化することはなくなる。更に，本実施形態に係る空調制御システム１によれば，空調機３が設置された施設６０に在室者がいない場合は空調機３が作動しないようにすることで，更なる空調の省エネルギー化が図れる。また，本実施形態に係る空調制御システム１によれば，施設６０の在室者が多く不快指数が悪化した場合は，業務効率が悪化しないように，空調機３を自動運転から手動運転に切り替えることができる。また，本実施形態に係る空調制御システム１によれば，空調機３が算出する不快指数を利用して施設の予約が行えることで，不快指数の良好な施設６０をユーザに提示できる。
【符号の説明】
【００５３】
１    空調制御システム
２    施設管理装置
２０  空調機管理手段
２１  施設予約管理手段
２２  施設情報ＤＢ
２３  施設予約情報ＤＢ
２４  不快指数ＤＢ
３    空調機
３０  空調制御手段
３１  温度センサ
３２  湿度センサ
３３  不快指数算出手段
３４  操作パネル
３５  ディスプレイ
４    端末装置
５    入退室管理装置
５０  入退室管理手段
５１  在室者ＤＢ
５２  リーダライタ
５３  ＲＦＩＤタグ
６    建屋
６０  建屋内の施設
【図１】
2015183899.tif 000005
【図２】
2015183899.tif 000006
【図３】
2015183899.tif 000007
【図４】
2015183899.tif 000008
【図５】
2015183899.tif 000009